(57)【要約】【課題】制御信号を出力する装置の仕様を変更することなく、検査結果が示す異常の原因を特定でき、かつ、検査の手順を確認することが可能な計測状態保存装置、計測状態保存方法およびプログラムを提供する。【解決手段】計測状態保存装置は、検査対象の物品に関する状態を計測する計測部と、物品に関する状態を制御するための第１制御信号を物品に出力し計測部の動作を制御するための第２制御信号を計測部に出力する制御部と、を有する検査装置から、第１制御信号と、第２制御信号と、計測部の計測結果を表す計測結果信号と、を受け付ける通信部と、第１制御信号と第２制御信号と計測結果信号との各信号を、それぞれ、通信部での該信号の受付時刻に応じた時刻情報と関連づけて記録する記録部と、を含む。【選択図】図１
2015178997.tif 000002
【特許請求の範囲】
【請求項１】
検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける通信部と、
前記第１制御信号と前記第２制御信号と前記計測結果信号との各信号を、それぞれ、前記通信部での当該信号の受付時刻に応じた時刻情報と関連づけて記録する記録部と、を含む計測状態保存装置。
【請求項２】
前記物品は複数の出力部を有するものであり、
前記検査装置は、さらに、前記複数の出力部から計測対象の出力部を択一的に選択する選択部を有するものであり、
前記制御部は、さらに、前記選択部での選択を切り替えるための切替信号を前記選択部に出力するものであり、
前記通信部は、さらに、前記切替信号を受け付け、
前記記録部は、さらに、前記切替信号を、前記通信部での前記切替信号の受付時刻に応じた時刻情報と関連づけて記録する、請求項１に記載の計測状態保存装置。
【請求項３】
前記物品に関する状態は、前記物品に関する所定の物理特性であり、
前記記録部は、前記物品に関する物理特性のうち前記所定の物理特性とは異なる物理特性について計測する計測装置から、当該計測装置の計測結果を表す物理特性信号を受け付け、前記物理特性信号を、前記物理特性信号の受付時刻に応じた時刻情報と関連づけて記録する、請求項１または２に記載の計測状態保存装置。
【請求項４】
前記記録部は、各信号を前記受付時刻順に並べて保存する、請求項１から３のいずれか１項に記載の計測状態保存装置。
【請求項５】
検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける受付ステップと、
前記第１制御信号と前記第２制御信号と前記計測結果信号との各信号を、それぞれ、前記受付ステップでの当該信号の受付時刻に応じた時刻情報と関連づけて記録する記録ステップと、を含む計測状態保存方法。
【請求項６】
コンピュータに、
検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける受付手順と、
前記第１制御信号と前記第２制御信号と前記計測結果信号との各信号を、それぞれ、前記受付手順での当該信号の受付時刻に応じた時刻情報と関連づけて記録する記録手順と、を実行させるためのプログラム。
【発明の詳細な説明】
【技術分野】
【０００１】
本発明は、計測状態保存装置、計測状態保存方法およびプログラムに関し、例えば、物品の計測に関する情報を記録する計測状態保存装置、計測状態保存方法およびプログラムに関する。
【背景技術】
【０００２】
物品の各種物理特性を計測する自動検査装置が知られている。
図１２は、関連技術の自動検査装置１００を示した図である。
自動検査装置１００は、ラジオ２００を検査する。ラジオ２００は、検査対象の物品の一例である。自動検査装置１００は、信号発生器１０１と、電源計測器１０２と、電流計１０３と、経路切替器１０４と、音量計測器１０５と、制御部１０６と、を含む。
信号発生器１０１は、ラジオ２００が受信可能な電波を出力する。電源計測器１０２は、ラジオ２００に供給される電源の電圧を計測する。電流計１０３は、電源からラジオ２００に流れる電流を計測する。経路切替器１０４は、ラジオ２００が有する２つの音声出力部２０１および２０２からの各音声出力を択一的に選択する。音量計測器１０５は、経路切替器１０４にて選択された音声出力の音量を計測する。
制御部１０６は、ラジオ２００、信号発生器１０１、電源計測器１０２、電流計１０３、経路切替器１０４および音量計測器１０５の各々の動作を、種々の制御信号を用いて制御する。また、制御部１０６は、信号発生器１０１の出力状態を表す出力状態情報と、電源計測器１０２、電流計１０３および音量計測器１０５の各々の計測結果と、を受信する。制御部１０６は、出力状態情報と各々の計測結果を保持する。
制御部１０６に保持された出力状態情報や各々の計測結果が予め想定された正常範囲内の値であれば、ラジオ２００は正常であると判断される。一方、制御部１０６に保持された出力状態情報や各々の計測結果の少なくともいずれかが正常範囲から外れた値であると、異常が発生したと判断される。
【０００３】
異常の原因としては、検査対象の物品の不具合の他に、制御部１０６の不具合も考えられる。しかしながら、自動検査装置１００は出力状態情報や各々の計測結果のみを保持するため、自動検査装置１００の保持内容から制御部１０６の不具合を特定することは困難である。
制御部１０６の不具合を特定するには、制御部１０６が出力する制御信号も保持するように、制御部１０６の仕様を変更することが考えられる。しかしながら、制御部１０６の仕様を変更するためには、制御部１０６を変更（例えば、検査ソフトウェアの変更）が必要になるという問題がある。
【０００４】
特許文献１には、物品の検査を行うために制御信号を出力する装置の仕様を変更することなく、制御信号を出力する装置の不具合を特定可能な昇降機運転状態計測装置（以下、単に「計測装置」と称する）が記載されている。
特許文献１に記載の計測装置は、エレベータの巻上機の動作を制御する制御盤からの制御信号と、その制御信号が出力されたときのエレベータの乗り籠の動作状態を表す計測データとを、互いに関連づけて記録する。例えば、特許文献１に記載の計測装置では、携帯端末が制御信号と計測データとを互いに関連づけて記録し、データ収集装置が、携帯端末から互いに関連づけられた制御信号と計測データを収集し、その収集結果を記録する。
記録済みの制御信号と計測データとの関係性を解析することで、制御信号を出力する装置の仕様を変更することなく、異常の原因が検査対象の物品側にあるのか物品を検査した装置（制御信号を出力する装置）側にあるのかを確認可能になる。
【先行技術文献】
【特許文献】
【０００５】
【特許文献１】特開２００５−２４７４７０号公報
【発明の概要】
【発明が解決しようとする課題】
【０００６】
特許文献１に記載の計測装置は、制御信号と計測データとを互いに関連づけて記録するが、この記録結果は、制御信号の出力順を特定するための情報を伴っていない。このため、特許文献１に記載の計測装置に記録された情報では、制御信号の出力順にて特定可能な検査の手順を確認することは困難である。検査の手順を確認することは、検査の不具合を見つける際に重要となる。
このため、制御信号を出力する装置の仕様を変更することなく、検査結果が示す異常の原因を特定でき、かつ、検査の手順を確認可能な手法が望まれる、という課題があった。
【０００７】
本発明の目的は、上記課題を解決可能な計測状態保存装置、計測状態保存方法およびプログラムを提供することである。
【課題を解決するための手段】
【０００８】
本発明の計測状態保存装置は、検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける通信部と、前記第１制御信号と前記第２制御信号と前記計測結果信号との各信号を、それぞれ、前記通信部での当該信号の受付時刻に応じた時刻情報と関連づけて記録する記録部と、を含む。
【０００９】
本発明の計測状態保存方法は、検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける受付ステップと、前記第１制御信号と前記第２制御信号と前記計測結果信号との各信号を、それぞれ、前記受付ステップでの当該信号の受付時刻に応じた時刻情報と関連づけて記録する記録ステップと、を含む。
【００１０】
本発明のプログラムは、コンピュータに、検査対象の物品に関する状態を計測する計測部と、前記物品に関する状態を制御するための第１制御信号を前記物品に出力し前記計測部の動作を制御するための第２制御信号を前記計測部に出力する制御部と、を有する検査装置から、前記第１制御信号と、前記第２制御信号と、前記計測部の計測結果を表す計測結果信号と、を受け付ける受付手順と、前記第１制御信号と前記第２制御信号と前記計測結果信号との各信号を、それぞれ、前記受付手順での当該信号の受付時刻に応じた時刻情報と関連づけて記録する記録手順と、を実行させる。
【発明の効果】
【００１１】
本発明によれば、制御信号を出力する装置の仕様を変更することなく、検査結果が示す異常の原因を特定でき、かつ、検査の手順を確認することが可能になる。
【図面の簡単な説明】
【００１２】
【図１】本発明の第１実施形態の計測状態保存装置１を示した図である。
【図２】検査装置の一例を示した図である。
【図３】計測状態保存装置１の動作を説明するためのフローチャートである。
【図４】自動検査装置１００に接続された本発明の第２実施形態の計測状態保存装置を示す図である。
【図５】計測状態保存装置１Ａを示した図である。
【図６】種々の制御信号を説明するための図である。
【図７】計測状態保存装置１Ａの動作を説明するためのフローチャートである。
【図８】記録媒体１１４ａに記録された計測状態情報の一例を示した図である。
【図９】自動検査装置１００に接続された本発明の第３実施形態の計測状態保存装置を示す図である。
【図１０】計測状態保存装置１Ｂを示した図である。
【図１１】計測状態保存装置１Ｂに含まれる記録媒体１１４ａに記録された計測状態情報の一例を示した図である。
【図１２】関連技術の自動検査装置１００を示した図である。
【発明を実施するための形態】
【００１３】
（第１実施形態）
図１は、本発明の第１実施形態の計測状態保存装置１を示した図である。
計測状態保存装置１は、検査装置から種々の信号を受け付ける。
【００１４】
図２は、検査装置の一例を示した図である。
検査装置４は、計測部５と制御部６とを有する。計測部５は、ラジオ７の状態を計測する。ラジオ７は検査対象の物品の一例である。
計測部５は、ラジオ７に関する状態として、ラジオ７の出力状態（出力音量）を計測する。ラジオ７に関する状態はラジオ７の出力音量に限らず適宜変更可能である。
制御部６は、ラジオ７の出力音量を制御するための第１制御信号をラジオ７に出力する。第１制御信号は、例えば、ラジオ７のオンオフを制御するオンオフ制御信号、または、ラジオ７の出力音量を変更するための音量制御信号である。第１制御信号は、オンオフ制御信号や音量制御信号に限らず適宜変更可能である。
また、制御部６は、計測部５の動作を制御するための第２制御信号を計測部５に出力する。第２制御信号は、例えば、計測器５に計測結果を要求する要求制御信号である。第２制御信号は、要求制御信号に限らず適宜変更可能である。計測部５は、要求制御信号を受け付けると、ラジオ７の出力音量の計測結果を表す計測結果信号を、要求制御信号の応答として制御部６に出力する。
【００１５】
図１に示した計測状態保存装置１は、通信部２と記録部３とを含む。
通信部２は、検査装置４から、第１制御信号と、第２制御信号と、計測部５の計測結果を表す計測結果信号と、を受け付ける。
記録部３は、第１制御信号と第２制御信号と計測結果信号との各信号を、それぞれ、通信部２での該信号の受付時刻に応じた時刻情報と関連づけて記録する。
【００１６】
次に、計測状態保存装置１の動作を説明する。
図３は、計測状態保存装置１の動作を説明するためのフローチャートである。
通信部２は、検査装置４から第１制御信号と第２制御信号と計測結果信号とのいずれかの信号を受信するごとに（ステップＳ１）、その信号（以下「受信信号」と称する）に、受信信号の受信時刻を表す時刻情報を付加する。続いて、通信部２は、時刻情報が付加された受信信号を、記録部３に出力する。
記録部３は、時刻情報が付加された受信信号を受け付けると、受信信号を時刻情報と関連づけて記録する（ステップＳ２）。
【００１７】
次に、本実施形態の効果について説明する。
通信部２は、検査装置４から第１制御信号と第２制御信号と計測結果信号とを受け付ける。記録部３は、第１制御信号と第２制御信号と計測結果信号との各信号を、それぞれ、通信部２での該信号の受付時刻に応じた時刻情報と関連づけて記録する。このため、第１制御信号や第２制御信号が出力された順番を、第１制御信号や第２制御信号に関連づけられた時刻情報を用いて特定することが可能になる。よって、第１制御信号や第２制御信号を用いた検査の手順を特定することが可能になる。また、各信号と時刻情報とを記録する装置は、検査装置４ではなく、計測状態保存装置１となる。したがって、検査装置４の仕様を変更することなく、検査結果（計測結果信号）が示す異常の原因を特定でき、かつ、検査の手順を確認することが可能になる。
【００１８】
（第２実施形態）
図４は、自動検査装置１００に接続された本発明の第２実施形態の計測状態保存装置１Ａを示す図である。図５は、計測状態保存装置１Ａの一例を示した図である。図４において、図１２に示したものと同一構成のものには同一符号を付してある。
自動検査装置１００に含まれる信号発生器１０１、電源計測器１０２、電流計１０３および音量計測器１０５は、それぞれ、計測部の一例である。自動検査装置１００に含まれる経路切替器１０４は、選択部の一例である。ラジオ２００に含まれる音声出力部２０１および２０２は、出力部の一例である。
計測状態保存装置１Ａは、物品制御線接続装置１０ａと、経路切替信号線接続装置１０ｂと、計測器制御線接続装置１０ｃと、制御装置１１と、を含む。
物品制御線接続装置（以下、単に「接続装置」と称する）１０ａは、物品制御用信号線１０７ａと接続される。物品制御用信号線１０７ａは、制御部１０６とラジオ２００とを接続する信号線である。
経路切替信号線接続装置（以下、単に「接続装置」と称する）１０ｂは、経路切替器用信号線１０７ｂと接続される。経路切替器用信号線１０７ｂは、制御部１０６と経路切替器１０４とを接続する信号線である。
計測器制御線接続装置（以下、単に「接続装置」と称する）１０ｃは、計測器制御用信号線１０７ｃと接続される。計測器制御用信号線１０７ｃは、制御部１０６と、信号発生器１０１、電源計測器１０２、電流計１０３および音量計測器１０５と、を接続する信号線である。
制御装置１１は、接続装置１０ａ〜１０ｃと接続されている。制御装置１１は、図５に示すように、物品制御信号受信部１１１ａと、経路切替信号受信部１１１ｂと、計測器制御信号受信部１１１ｃと、記録媒体１１２ａ〜１１２ｃと、計測状態情報制御部１１３と、記録媒体１１４ａと、を含む。
物品制御信号受信部（以下、単に「受信部」と称する）１１１ａは、接続装置１０ａと接続されている。経路切替信号受信部（以下、単に「受信部」と称する）１１１ｂは、接続装置１０ｂと接続されている。計測器制御信号受信部（以下、単に「受信部」と称する）１１１ｃは、接続装置１０ｃと接続されている。
記録媒体１１２ａ、１１２ｂ、１１２ｃには、それぞれ、受信部１１１ａ、１１１ｂ、１１１ｃが受信した各信号が、その信号の受信時刻を表す時刻情報と関連づけて記録される。
計測状態情報制御部１１３は、計測状態保存装置１Ａの動作を制御する。
記録媒体１１４ａには、記録媒体１１２ａ、１１２ｂ、１１２ｃの各々に記録された各信号および各受信時刻が記録される。
【００１９】
次に、自動検査装置１００に含まれる制御部１０６が用いる種々の制御信号について説明する。
図６は、種々の制御信号を説明するための図である。
図６では、電源オン指定信号、電源オフ指定信号、第１出力切替信号、第２出力切替信号、電波出力問合せ信号、電源電圧問合せ信号、電流問合せ信号および音量問合せ信号の各々が、制御信号の一例して示されている。
電源オン指定信号は、第１制御信号の一例である。電源オン指定信号は、ラジオ２００をオン状態にする旨の制御信号である。電源オン指定信号は、制御部１０６から物品制御用信号線１０７ａを介してラジオ２００に送信される。ラジオ２００は、電源オン指定信号を受信するとオン状態になる。電源オン指定信号は、開始信号としても機能する。
電源オフ指定信号は、第１制御信号の一例である。電源オフ指定信号は、ラジオ２００をオフ状態にする旨の制御信号である。電源オフ指定信号は、制御部１０６から物品制御用信号線１０７ａを介してラジオ２００に送信される。ラジオ２００は、電源オフ指定信号を受信するとオフ状態になる。電源オフ指定信号は、終了信号としても機能する。
第１出力切替信号は、切替信号の一例である。第１出力切替信号は、音声出力部２０１を選択する旨の制御信号である。第１出力切替信号は、制御部１０６から経路切替器用信号線１０７ｂを介して経路切替部１０４に送信される。経路切替部１０４は、第１出力切替信号を受信すると音声出力部２０１を選択する。
第２出力切替信号は、切替信号の一例である。第２出力切替信号は、音声出力部２０２を選択する旨の制御信号である。第２出力切替信号は、制御部１０６から経路切替器用信号線１０７ｂを介して経路切替部１０４に送信される。経路切替部１０４は、第２出力切替信号を受信すると音声出力部２０２を選択する。
電波出力問合せ信号は、第２制御信号の一例である。電波出力問合せ信号は、信号発生器１０１の出力状態を問い合せる旨の制御信号である。電波出力問合せ信号は、制御部１０６から計測器制御用信号線１０７ｃを介して信号発生器１０１に送信される。信号発生器１０１は、電波出力問合せ信号を受信すると、信号発生器１０１が出力している電波の強度および周波数を表す出力状態情報である第１応答信号を、計測器制御用信号線１０７ｃを介して制御部１０６に送信する。信号発生器１０１が出力している電波の強度および周波数は、ラジオ２００が受信する電波の状態を表す。信号発生器１０１が出力している電波の強度および周波数は、ラジオ２００に関する状態および所定の物理特性の一例である。
電源電圧問合せ信号は、第２制御信号の一例である。電源電圧問合せ信号は、電源電圧を問い合せる旨の制御信号である。電源電圧問合せ信号は、制御部１０６から計測器制御用信号線１０７ｃを介して電源計測器１０２に送信される。電源計測器１０２は、電源電圧問合せ信号を受信すると、電源計測器１０２の計測結果を表す第２応答信号を、計測器制御用信号線１０７ｃを介して制御部１０６に送信する。電源計測器１０２の計測結果は、ラジオ２００の電源の状態を表す。ラジオ２００の電源の状態は、ラジオ２００に関する状態および所定の物理特性の一例である。
電流問合せ信号は、第２制御信号の一例である。電流問合せ信号は、電流を問い合せる旨の制御信号である。電流問合せ信号は、制御部１０６から計測器制御用信号線１０７ｃを介して電流計１０３に送信される。電流計１０３は、電流問合せ信号を受信すると、電流計１０３の計測結果を表す第３応答信号を、計測器制御用信号線１０７ｃを介して制御部１０６に送信する。電流計１０３の計測結果は、ラジオ２００に流れる電流の状態を表す。ラジオ２００に流れる電流の状態は、ラジオ２００に関する状態および所定の物理特性の一例である。
音量問合せ信号は、第２制御信号の一例である。音量問合せ信号は、音量を問い合せる旨の制御信号である。音量問合せ信号は、制御部１０６から計測器制御用信号線１０７ｃを介して音量計測器１０５に送信される。音量計測器１０５は、音量問合せ信号を受信すると、音量計測器１０５の計測結果を表す第４応答信号を、計測器制御用信号線１０７ｃを介して制御部１０６に送信する。音量計測器１０５の計測結果は、ラジオ２００の出力の状態を表す。ラジオ２００の出力の状態は、ラジオ２００に関する状態および所定の物理特性の一例である。
第１応答信号〜第４応答信号は、それぞれ、計測結果信号の一例である。第１応答信号〜第４応答信号は、それぞれ、保存有情報としても機能する。
【００２０】
次に、本実施形態の動作を説明する。
以下の説明では、制御部１０６は、ラジオ２００を検査する場合、最初に、電源オン指定信号を送信し、最後に、電源オフ指定信号を送信するものとする。
図７は、計測状態保存装置１Ａの動作を説明するためのフローチャートである。
受信部１１１ａ、１１１ｂ、１１１ｃは、それぞれ、接続装置１０ａ、１０ｂ、１０ｃから受信した信号を、計測状態情報制御部１１３に送信する。
計測状態情報制御部１１３は、受信部１１１ａから電源オン指定信号（開始信号）を受信すると（ステップＳ１０１）、受信部１１１ａ〜１１１ｃの各々に、保存開始信号を送信する。
受信部１１１ａ、１１１ｂ、１１１ｃは、保存開始信号を受信すると、それぞれ、接続装置１０ａ、１０ｂ、１０ｃからの受信信号を、その信号の受信時刻を表す時刻情報に関連づけて受信部１１１ａ、１１１ｂ、１１１ｃ内のメモリに保存する（ステップＳ１０２）。例えば、受信部１１１ａは、保存開始信号を受信すると、接続装置１０ａからの受信信号を、その信号の受信時刻を表す時刻情報に関連づけて受信部１１１ａ内のメモリに保存する。
本実施形態では、受信部１１１ａ、１１１ｂ、１１１ｃは、それぞれ、受信信号のコピーをメモリに保存する。また、受信部１１１ａ、１１１ｂ、１１１ｃは、それぞれ、受信信号のコピーを保存しつつ、受信信号を計測状態情報制御部１１３に送信する。なお、受信部１１１ａ、１１１ｂ、１１１ｃは、それぞれ、受信信号をメモリに保存し、受信信号のコピーを計測状態情報制御部１１３に送信してもよい。
その後、計測状態情報制御部１１３は、受信部１１１ａから電源オフ指定信号（終了信号）を受信すると（ステップＳ１０３）、受信部１１１ａ〜１１１ｃの各々に、保存終了信号を送信する。
受信部１１１ａ、１１１ｂ、１１１ｃは、保存終了信号を受信すると、それぞれ、受信部１１１ａ、１１１ｂ、１１１ｃ内のメモリに保存されている受信信号のコピーを、その信号に関連づけられている時刻情報と共に読み出す。
続いて、受信部１１１ａ、１１１ｂ、１１１ｃは、それぞれ、受信信号のコピーごとに、受信信号のコピーとその受信信号のコピーに関連づけられている時刻情報とを含む計測状態情報を生成する（ステップＳ１０４）。
続いて、受信部１１１ａ、１１１ｂ、１１１ｃは、それぞれ、計測状態情報を記録媒体１１２ａ、１１２ｂ、１１２ｃに保存する（ステップＳ１０５）。
一方、計測状態情報制御部１１３は、電源オン指定信号（開始信号）を受信してから電源オフ指定信号（終了信号）を受信するまでの間に、第１応答信号〜第４応答信号のいずれか（保存有情報）を受信したかを判断する（ステップＳ１０６）。
計測状態情報制御部１１３は、ステップＳ１０６で第１応答信号〜第４応答信号のいずれかを受信したと判断した場合、記録媒体１１２ａ、１１２ｂ、１１２ｃの各々から計測状態情報を読み出す（ステップＳ１０７）。
続いて、計測状態情報制御部１１３は、計測状態情報を、計測状態情報に含まれる時刻情報が表す受信時刻順に並べて記録媒体１１４ａに記録する（ステップＳ１０８）。
続いて、計測状態情報制御部１１３は、記録媒体１１２ａ、１１２ｂ、１１２ｃに保存されている計測状態情報を削除する（ステップＳ１０９）。
一方、ステップＳ１０６で第１応答信号〜第４応答信号のいずれも受信していないと判断した場合、計測状態情報制御部１１３は、ステップＳ１０９を実行する。
【００２１】
図８は、記録媒体１１４ａに記録された計測状態情報の一例を示した図である。
計測状態情報制御部１１３は、各制御信号や各応答信号を解析して、発生信号の種別、機器識別番号、送受識別情報および信号を特定する。
例えば、計測状態情報制御部１１３は、受信部１１１ａから受信した信号に対して、発生信号の種別として「ラジオ制御」を特定する。計測状態情報制御部１１３は、受信部１１１ｂから受信した信号に対して、発生信号の種別として「経路切替」を特定する。計測状態情報制御部１１３は、受信部１１１ｃから受信した信号に対して、発生信号の種別として「計測器制御」を特定する。また、計測状態情報制御部１１３は、各制御信号や各応答信号の宛先を参照して、各信号について、機器識別情報と、送受識別情報と、を特定する。なお、送受識別情報の「送信」は、制御部１０６が送信することを意味し、送受識別情報の「受信」は、制御部１０６が受信することを意味する。
【００２２】
次に、本実施形態の効果について説明する。
受信部１１１ａ、１１１ｂ、１１１ｃは、それぞれ、接続装置１０ａ、１０ｂ、１０ｃを介して、物品制御用信号線１０７ａ、経路切替器用信号線１０７ｂ、計測器制御用信号線１０７ｃを通る信号を受信する。計測状態情報制御部１１３は、受信部１１１ａ、１１１ｂ、１１１ｃが受信した信号を、その信号の受信時刻を表す時刻情報と関連づけて、記録媒体１１４ａに記録する。
自動検査装置１００に含まれる制御部１０６に入出力する信号は、物品制御用信号線１０７ａ、経路切替器用信号線１０７ｂ、計測器制御用信号線１０７ｃのいずれを通る。このため、計測状態情報制御部１１３は、制御部１０６に入出力するすべての信号を時刻情報と関連づけて記録することが可能になる。
したがって、各制御信号が出力された順番を、各制御信号に関連づけられた時刻情報を用いて特定することが可能になる。よって、時刻情報を参照することで、各制御信号を用いた検査の手順を特定することが可能になる。また、各信号と時刻情報とを記録する装置は、自動検査装置１００ではなく、計測状態保存装置１Ａとなる。したがって、自動検査装置１００の仕様を変更することなく、検査結果（応答信号が示す計測結果）が示す異常の原因を特定でき、かつ、検査の手順を確認することが可能になる。
【００２３】
また、計測状態情報制御部１１３は、制御部１０６に入出力するすべての信号を受信時刻順に記録する。このため、制御部１０６に入出力するすべての信号を時系列に並べることが可能になり、検査の手順を確認が容易になる。
【００２４】
また、海外生産拠点等の遠隔地に設置してある自動検査装置１００に計測状態保存装置１Ａを接続することで、自動検査装置１００に関する計測状態情報を、例えば、計測状態保存装置１Ａおよびインターネット等を介して、自動検査設備開発拠点に送付可能になる。このため、自動検査装置の不具合の早期発見が可能になる。
【００２５】
また、計測状態保存装置１Ａは、自動検査装置１００の制御部１０６の全ての入出力信号を保存する。このため、自動検査装置１００が実施するラジオ２００の検査手順の検証を、自動検査装置１００の検査ソフトウェアを解析することなく検証することが可能になる。
【００２６】
また、計測状態保存装置１Ａは、自動検査装置１００の制御部１０６の全ての入出力信号を保存するため、自動検査装置１００の検査ソフトウェアが変更された場合にソフトウェア言語変更前後の自動検査装置１００の動作検証を容易に実行可能になる。
【００２７】
（第３実施形態）
図９は、自動検査装置１００に接続された本発明の第３実施形態の計測状態保存装置を示す図である。図１０は、図９に示した第３実施形態の計測状態保存装置１Ｂを示した図である。図９、図１０において、図４、図５に示したものと同一構成のものには同一符号を付してある。
【００２８】
第３実施形態の計測状態保存装置１Ｂと第２実施形態の計測状態保存装置１Ａとの主な相違点は、第３実施形態の計測状態保存装置１Ｂが、計測状態情報制御部１１３の代わりに計測状態情報制御部１１３ａを有し、記録媒体１１４ｂをさらに含み、電圧計３００と接続されている点である。以下、第３実施形態の計測状態保存装置１Ｂについて、第２実施形態の計測状態保存装置１Ｂと異なる点を中心に説明する。
【００２９】
電圧計３００は、計測装置の一例である。電圧計３００は、自動検査装置１００では計測されないラジオ２００への入力電源電圧を計測する。ラジオ２００への入力電源電圧は、ラジオ２００に関する物理特性の一例である。なお、計測装置は、電圧計３００に限らず、自動検査装置１００では計測されないラジオ２００に関する物理特性を計測する装置であればよい。
計測状態情報制御部１１３ａは、計測状態情報制御部１１３が有する機能に加えて、以下の機能を有する。
計測状態情報制御部１１３ａは、電圧計３００の計測結果を表す計測結果信号を受信する。計測結果信号は、物理特性信号の一例である。
計測状態情報制御部１１３ａは、電源オン指定信号（開始信号）を受信すると、計測結果信号を計測結果信号の受付時刻に応じた時刻情報と関連づけて、一時的に計測状態情報制御部１１３ａ内のメモリに保存する。
計測状態情報制御部１１３ａは、その後、電源オフ指定信号（終了信号）を受信すると、計測状態情報制御部１１３ａ内のメモリに保存されている計測結果信号を、その信号に関連づけられている時刻情報と共に読み出す。
続いて、計測状態情報制御部１１３ａは、計測結果信号ごとに、計測結果信号とその計測結果信号に関連づけられている時刻情報とを含む計測状態情報を生成する。
続いて、計測状態情報制御部１１３ａは、計測状態情報を記録媒体１１４ｂに保存する。
また、計測状態情報制御部１１３ａは、図７に示したステップＳ１０６で第１応答信号〜第４応答信号のいずれかを受信したと判断した場合、記録媒体１１２ａ、１１２ｂ、１１２ｃに加えて、記録媒体１１４ｂから計測状態情報を読み出す。続いて、計測状態情報制御部１１３ａは、計測状態情報を、計測状態情報に含まれる時刻情報が表す受信時刻順に並べて記録媒体１１４ａに記録する。続いて、計測状態情報制御部１１３ａは、記録媒体１１２ａ、１１２ｂ、１１２ｃ、１１４ｂに保存されている計測状態情報を削除する。
一方、計測状態情報制御部１１３ａは、ステップＳ１０６で第１応答信号〜第４応答信号のいずれも受信していないと判断した場合、記録媒体１１２ａ、１１２ｂ、１１２ｃ、１１４ｂに保存されている計測状態情報を削除する。
【００３０】
次に、本実施形態の効果について説明する。
計測状態情報制御部１１３ａは、電圧計３００の計測結果を表す計測結果信号を受信する。計測状態情報制御部１１３ａは、計測結果信号を、計測結果信号の受付時刻に応じた時刻情報と関連づけて記録媒体１１４ａに記録する。このため、計測状態保存装置１Ｂは、自動検査装置１００での検査状態を表す情報と共に、自動検査装置１００とは異なる装置の計測結果も、時刻情報と共に記録することが可能になる。
例えば、自動検査実行時に、ラジオ２００に電源オン指定信号が送信されたが、電流計１０３とラジオ２００の間の経路の内部抵抗にて電圧降下が生じてラジオ２００が起動しないと想定される不具合が発生したとする。
この状況において不具合の原因を究明するためには、図９に示したように電圧計３００を追加し、電流計１０３とラジオ２００の間の経路での電圧降下を測定する必要がある。本実施形態では、自動検査装置１００とは異なる装置の計測結果も時刻情報と共に記録できるので、図９に示したように電圧計３００を追加し、電流計１０３とラジオ２００の間の経路での電圧降下を測定し、その測定結果を時刻情報と共にすることが可能になる。
図１１は、計測状態保存装置１Ｂに含まれる記録媒体１１４ａに記録された計測状態情報の一例を示した図である。
【００３１】
次に、変形例について説明する。
上記各実施形態では、検査対象の物品として、ラジオ２００が用いられた。しかしながら、検査対象の物品はラジオに限らず適宜変更可能である。
上記各実施形態では、計測部として、信号発生器１０１、電源計測器１０２、電流計１０３、音量計測器１０５が用いられた。しかしながら、計測部は、信号発生器１０１、電源計測器１０２、電流計１０３、音量計測器１０５に限らず適宜変更可能である。
上記各実施形態では、選択部として経路切替器１０４が用いられた。しかしながら、選択部は経路切替器１０４に限らず適宜変更可能である。
上記各実施形態では、複数の出力部として、音声出力部２０１および２０２が用いられた。しかしながら、複数の出力部は、音声出力部２０１および２０２に限らず適宜変更可能である。
信号発生器１０１等の計測器を制御するための信号（制御信号）は、GP-IB（General Purpose Interface Bus）、イーサーネットまたはRS232C（Recommended Standard 232 version C）に対応することが望ましい。
ラジオ等の物品を制御するための信号（制御信号）は、USB（Universal Serial Bus）、RS232Cまたは8ビットデジタル入出力信号に対応することが望ましい。
経路を切り替えるための信号（制御信号）は、USBRS232Cまたは8ビットデジタル入出力信号に対応することが望ましい。
上記各実施形態において、計測状態保存装置は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、計測状態保存装置が有する機能を実行する。記録媒体は、ＣＤ−ＲＯＭに限らず適宜変更可能である。
以上説明した各実施形態において、図示した構成は単なる一例であって、本発明はその構成に限定されるものではない。
【００３２】
また、上記各実施形態は、例えば以下の分野での利用が考えられる
＜自動検査装置の性能評価・有効性確認の分野＞
上記各実施形態によれば、自動検査装置の性能評価を自動試験装置開発者以外の第三者が実施可能になる。
上記各実施形態によれば、既存の自動検査装置を更新する場合、更新する自動検査装置の確実な性能評価・有効性確認が可能になる。
＜開発者と物理的に離れた箇所に設置してある自動検査装置の状態確認の分野＞
上記各実施形態によれば、自動検査装置の計測状態情報を自動検査装置開発者に送付することにて、開発者が直接該当の自動検査装置を操作しなくても自動検査装置の状態確認が可能になる。
＜自動検査装置での物品の物理特性が想定外値時の計測状態追跡の分野＞
上記各実施形態によれば、計測状態情報にて物品の物理特性が想定外値時の計測状態を自動検査終了後に追跡可能になる。
【符号の説明】
【００３３】
１、１Ａ、１Ｂ  計測状態保存装置
２      通信部
３      記録部
４      検査装置
５      計測部
６      制御部
７      ラジオ
１０ａ    物品制御線接続装置
１０ｂ    経路切替信号線接続装置
１０ｃ    計測器制御線接続装置
１１      制御装置
１１１ａ  物品制御信号受信部
１１１ｂ  経路切替信号受信部
１１１ｃ  計測器制御信号受信部
１１２ａ〜１１２ｃ、１１４ａ、１１４ｂ  記録媒体
１１３、１１３ａ    計測状態情報制御部
【図１】
2015178997.tif 000003
【図２】
2015178997.tif 000004
【図３】
2015178997.tif 000005
【図４】
2015178997.tif 000006
【図５】
2015178997.tif 000007
【図６】
2015178997.tif 000008
【図７】
2015178997.tif 000009
【図８】
2015178997.tif 000010
【図９】
2015178997.tif 000011
【図１０】
2015178997.tif 000012
【図１１】
2015178997.tif 000013
【図１２】
2015178997.tif 000014